(57)【要約】【課題】立体的な装飾効果を高めた加飾シート、同加飾シートを備えた加飾品と、これらの製造方法を提供する。【解決手段】シート本体１と着色層５２と厚盛り部５６と金属的反射層５７とを備える。厚盛り部５６は着色層５２の後面を含む位置に配置され、着色層５２の後面側から後方に突出する。金属的反射層５７は厚盛り部５６の後面に配置され、厚盛り部５６の少なくとも周縁はシート本体１の厚さ方向の断面において後方に向かって湾曲した凹曲部５８を備え、凹曲部５８の少なくとも一部の後面に金属的反射層５７が配置される。この金属的反射層５７が金属的凹曲反射面５９を構成し、加飾シート５１を前方から見た際、金属的凹曲反射面５９からの反射光を視認できる。【選択図】図１
2019043138.tif 000002
【特許請求の範囲】
【請求項１】
透光性を有するシート本体と、前記シート本体の後面側に配置された金属的反射層とを備えた加飾シートにおいて、
透光性を有するシート本体と、前記シート本体の後面側に配置された透光性を有する着色インキによる着色層及び透光性を有する厚盛り部と、前記厚盛り部の後面側に配置された金属的反射層とを備え、
前記金属的反射層は、前記着色層の少なくとも一部の後面を含む位置に配置され、
前記厚盛り部の周縁と金属的反射層の周縁とが略一致しており、
前記厚盛り部の少なくとも周縁は、前記シート本体の厚さ方向の断面において、後方に向かって湾曲した凹曲部を備え、前記凹曲部の後面を含む位置に前記金属的反射層が配置され、
前記凹曲部の後面に配置された前記金属的反射層が金属的凹曲反射面を構成し、
前記加飾シートを前方から見た際、前記金属的凹曲反射面からの反射光を視認できるように構成されたことを特徴とする加飾シート。
【請求項２】
透光性を有するシート本体と、前記シート本体の後面側に配置された金属的反射層とを備えた加飾シートにおいて、
透光性を有するシート本体と、前記シート本体の後面側に配置された透光性を有する着色インキによる着色層及び透光性を有する厚盛り部と、前記厚盛り部の後面側に配置された金属転写箔からなる金属的反射層とを備え、
前記厚盛り部の少なくとも後面は、前記着色層の少なくとも一部の後面を含む位置に配置された透明定着インキから構成され、前記透明定着インキは前記金属的反射層に対する定着性を備えており、
前記厚盛り部の外側周辺領域では、前記着色インキの後面自体が前記金属転写箔に対する定着性を備えていないか、又は、前記金属転写箔に対する定着性を備えていない非定着インキが前記着色インキの後側に配置され、
前記厚盛り部は、前記着色層の後面側から後方に突出し、
前記金属転写箔は前記厚盛り部の後面に定着しており、前記厚盛り部の外側周辺領域では、前記着色インキの後面側に定着しておらず、
前記厚盛り部の少なくとも周縁は、前記シート本体の厚さ方向の断面において、後方に向かって湾曲した凹曲部を備え、前記凹曲部の少なくとも一部の後面に前記金属的反射層が配置され、
前記凹曲部の少なくとも一部の後面に配置された前記金属的反射層が金属的凹曲反射面を構成し、
前記シート本体を前方から見た際、前記金属的凹曲反射面からの反射光を視認できるように構成されたことを特徴とする加飾シート。
【請求項３】
前記着色層と、前記厚盛り部と、前記金属転写箔とが、この順で前記シート本体の後面側に配置され、
前記金属転写箔は光反射性のあるメタリック層と前記メタリック層の前面側に配置された接着剤層とを備え、
前記厚盛り部は、前記着色層の少なくとも一部の後面を含む位置に前記着色層の後面側から後方に少なくとも３０μｍ突出して印刷された透明定着インキから構成され、
前記金属転写箔の前記接着剤層と前記透明定着インキとが接着されていることにより、前記金属転写箔が前記厚盛り部を介して前記着色層の後面側に定着していることを特徴とする請求項２に記載の加飾シート。
【請求項４】
前記着色層は、その後面側に前記厚盛り部が配置されていない第１着色領域と、その後面側に前記厚盛り部が配置されている第２着色領域とを備え、
第１着色領域と第２着色領域とは、色相、明度、彩度のうち少なくとも一種が異なる違った色に着色されていることを特徴とする請求項１又は３に記載の加飾シート。
【請求項５】
前記着色層は、平面状の前記シート本体に沿って、平面状に配置された層であり、
前記金属的凹曲反射面にあっては、平面方向に移行するに従って、前記着色層と前記金属的反射層との間の厚さ方向の距離が変化していることを特徴とする請求項１又は３に記載の加飾シート。
【請求項６】
前記加飾シートは、その最後面に調整層が配置され、
前記調整層により前記加飾シートの後面の凹凸が緩和されていることを特徴とする請求項１又は３に記載の加飾シート。
【請求項７】
１又は３に記載の加飾シートと加飾対象物とを備え、
前方から見た際、前記加飾シートが視認される位置に配置されたことを特徴とする、加飾シートを備えた加飾品。
【請求項８】
透光性を有するシート本体と、前記シート本体の後面側に配置された金属的反射層とを備えた加飾シートを製造する方法において、
透光性を有するシート本体の後面側に透光性を有する着色インキによる着色層を印刷によって形成する着色印刷ステップと、
前記着色層の後面側に透光性を有する厚盛り部を、透明定着インキによる印刷によって形成する厚盛りステップと、
前記厚盛り部の後面側に金属転写箔による金属的反射層を形成する装飾ステップと、
を含み、
前記着色印刷ステップは、前記厚盛り部周辺の前記着色インキの後面自体が前記金属転写箔に対する定着性を備えていないインキで印刷を施すか、又は、前記着色インキの印刷の後に前記金属転写箔に対する定着性を備えていない非定着インキで印刷を施す工程であり、
前記厚盛りステップは、前記金属転写箔に対して定着性を有する前記透明定着インキで一回以上の印刷を施すことによって、前記着色層から後方側に少なくとも３０μｍ突出して前記透明定着インキを厚盛りする工程であり、
前記装飾ステップは、前記厚盛り部の後面に対して前記金属転写箔を定着させる工程であり、
前記厚盛り部の少なくとも周縁は、前記シート本体の厚さ方向の断面において、後方に向かって湾曲した凹曲部を備え、前記凹曲部の少なくとも一部の後面に前記金属的反射層が形成され、
前記凹曲部の少なくとも一部の後面に形成された前記金属的反射層が金属的凹曲反射面を構成し、
前記加飾シートを前方から見た際、前記金属的凹曲反射面からの反射光を視認できるように構成された加飾シートを製造することを特徴とする加飾シートの製造方法。
【請求項９】
前記着色ステップは、色相、明度、彩度のうち少なくとも一種が異なる違った色に着色された第１着色領域と第２着色領域とを、前記金属転写箔に対して定着性のないインキで印刷を施す工程であり、
前記厚盛りステップは、前記第２着色領域の後面側にのみ透明定着インキによる印刷を施す一方、前記第１着色領域の後面側には透明定着インキによる印刷を施さない工程であり、
前記加飾シートを前方から見た際、前記厚盛り部と前記第２着色領域と前記金属的反射層とのそれぞれの外縁が互いに略一致している外縁一致部を少なくとも一部に備えた加飾シートを製造することを特徴とする請求項８記載の加飾シートの製造方法。
【請求項１０】
請求項１又は５に記載の加飾シートの前面側又は後面側に加飾対象物を配置して一体化することを特徴とする加飾シートを備えた加飾品の製造方法。
【発明の詳細な説明】
【技術分野】
【０００１】
本発明は、高度な装飾性を備えた加飾シートと、この加飾シートを備えた加飾品と、加飾シート及び加飾シートを備えた加飾品の製造方法に関するものである。
【背景技術】
【０００２】
装飾性を備えたシートについては、種々の提案がされている。
例えば、特許文献１には、透明樹脂シートと、前記透明樹脂シートの裏面に印刷された透明インク層と、前記透明インク層のインク幅のほぼ中央位置から外側の部分と重なるように印刷された陰影インク層と、前記陰影インク層が施された透明インク層の内側部分を除いて前記陰影インク層の外側の部分の上方に印刷された背景色層と、前記背景色層の施された部分及び背景色層の施されない部分の上方全面にわたって施された金属皮膜層とからなる印刷シートが開示されている。
【０００３】
特許文献２には、ベース層と光反射層と凹凸印刷面を有する透明凹凸印刷層と、透明保護層とが下から順に積層構成され、凹凸印刷層の凹凸下面が、背景部と、隠し陰影部とで構成されたシートが開示されている。この隠し陰影部は、一定方向に揃った平行直線凹凸模様で形成される一方、隠し陰影部の周囲の背景部は、平坦面で形成され、その両者の下に前記光反射層が配置される。このように凹凸模様と平坦面との双方の透明凹凸印刷層の下に前記光反射層が配置されることによって、このシートを一定の視角より見た場合には、隠し陰影部とその背景部との光反射条件が異なる結果、隠し陰影部より暗く見え、想定立体表示体「ＡＢＣ」が浮き上がって見える。一方、他の視角においては、隠し陰影部と背景部とが混然一体となって識別されないようにしたシートが開示されているものである。
【０００４】
また、特許文献３には、シート状基材の裏面に光透過性の紫外線硬化型樹脂又は２液硬化型樹脂で図柄を印刷し、図柄印刷層の外側に光反射層を形成する装飾材の製造方法が開示され、光と影による立体的で明瞭な図柄表現を行うことが開示されている。この光反射層は金属薄膜の蒸着で形成する他、転写や金属微粉末やパール粉からなる光反射材を混入させた樹脂を使用して形成することもできることが開示されている。
【０００５】
また、特許文献４は本願出願人の提案に係るものであって、加飾樹脂シートの前面に突出する加飾用凸部を備えた加飾樹脂シートを備えた成形品が開示され、立体屈曲面を備えた加飾用凸部全体の金属的反射効果により立体的な装飾効果を高めた加飾樹脂シートを備えた成形品が提供された。
【先行技術文献】
【特許文献】
【０００６】
【特許文献１】特許第４６９３５５０号公報
【特許文献２】特開平５−１１３７６３号公報
【特許文献３】特開２００７−２１６０８８号公報
【特許文献４】特許第６１２２５６３号公報
【発明の概要】
【発明が解決しようとする課題】
【０００７】
特許文献１〜３に記載のシートは、シートの後面側全体に金属反射層が配置されたものであり、前面が金属的反射を行うことによる視覚的効果を前提としたものであった。
特許文献１に記載のシートにあっては、着色層の後面に金属的反射層が配置され、着色層と金属的反射層とが重ねられている。その結果、着色層と金属的反射層との間の厚さ方向の距離は変化せず、前面からの入射光を着色層自体が反射する直接着色反射の反射位置と、金属的反射層による反射光が着色層を透過した金属着色反射の反射位置とが立体的に変化しない。
【０００８】
特許文献２に記載のシートは、隠し陰影部と背景部との光反射条件が異なる結果を利用して、隠し陰影部とその背景部との光反射条件が異なる結果、隠し陰影部より暗く見えたり、隠し陰影部と背景部とが混然一体となって識別されないようにしたりするもので、シートの後面側全体に反射層を配置することによる視覚的効果を狙ったものであり、反射層の具体的手段も全面に配置するのに適した蒸着によるものを示している。
【０００９】
特許文献３にあっても、凹凸層を含むシートの後面側全体に反射層を配置するもので、これによって光と影による視覚的効果を狙ったものであり、反射層の具体的手段も全面に配置するのに適した蒸着で形成することや、実施例では金属微粉末やパール粉からなる光反射材を混入させた樹脂を使用して形成するが示されているが、転写については、単に転写を用いてもよいと記載されているに止まる。また特許文献３では、光反射層での色彩に変化をもたせる場合には、図柄印刷層と光反射層との間に着色透明樹脂層を介在させることによっても行うことができる。例えば、図柄印刷層の外側に黄色の透明フィルムを介在させてアルミニウムを蒸着すると、金色の反射光が得られるとしており、図柄印刷層とアルミニウムの蒸着による反射層の全面に着色した透明フィルムを配置することを示すに止まり、金属的反射層との相乗効果を狙った提案はなされていない。
【００１０】
一方、特許文献４に記載の加飾樹脂シートにあっては、実際に突出した立体的な装飾部を設けることを目的としたもので、加飾樹脂シートの前面に突出する加飾用凸部を備え、加飾用凸部は立体装飾部として前方へ突出している。この立体装飾部は着色層と金属的反射層と厚盛り部とを備え、金属的反射層の前面側に着色層が配置され、金属的反射層の後面に厚盛り部が配置される。着色層と金属的反射層とはバインダ層を介して重ねられたものであり、着色層と金属的反射層との間の厚さ方向の距離が変化しないものの、厚盛り部と着色層と金属的反射層とが平面視においてそれぞれの外縁が一致しているとともに立体装飾部の外縁に対して一致しており、立体屈曲面を備えた加飾用凸部全体の金属的反射効果により、立体的な装飾効果を奏するものである。
【００１１】
このように特許文献４では、実際に突出する立体屈曲面を備えた加飾用凸部による凸レンズの反射効果を狙ったものであって、その表面を平面状とするものではなく、平面上の表面を得ようとすれば、別個の透明シートなどを粘着させる必要があった。
本発明は、立体的な装飾効果を高めた新たな加飾シートと、この加飾シートを備えた加飾品と、加飾シート及び加飾シートを備えた加飾品の製造方法を提供することを課題とするものである。
【課題を解決するための手段】
【００１２】
本発明は、透光性を有するシート本体と、前記シート本体の後面側に配置された金属的反射層とを備えた加飾シートに関するものである。この加飾シートは、透光性を有するシート本体と、前記シート本体の後面側に配置された透光性を有する着色インキによる着色層及び透光性を有する厚盛り部と、前記厚盛り部の後面側に配置された金属的反射層とを備える。前記金属的反射層は、前記着色層の少なくとも一部の後面を含む位置に配置され、前記厚盛り部の周縁と金属的反射層の周縁とが略一致している。前記厚盛り部の少なくとも周縁は、前記シート本体の厚さ方向の断面において、後方に向かって湾曲した凹曲部を備える。前記凹曲部の後面を含む位置に前記金属的反射層が配置され、前記凹曲部の後面に配置された前記金属的反射層が金属的凹曲反射面を構成する。
これにより、前記加飾シートを前方から見た際、前記金属的凹曲反射面からの反射光を視認できる。
【００１３】
また本発明の加飾シートは、透光性を有するシート本体と、前記シート本体の後面側に配置された透光性を有する着色インキによる着色層及び透光性を有する厚盛り部と、前記厚盛り部の後面側に配置された金属転写箔からなる金属的反射層とを備える。前記厚盛り部の少なくとも後面は、前記着色層の少なくとも一部の後面を含む位置に配置された透明定着インキから構成され、前記透明定着インキは前記金属的反射層に対する定着性を備えているものである。
前記厚盛り部の外側周辺領域では、前記着色インキの後面自体が前記金属転写箔に対する定着性を備えていないか、又は、前記金属転写箔に対する定着性を備えていない非定着インキが前記着色インキの後側に配置される。
前記厚盛り部は前記着色層の後面側から後方に突出しており、前記金属転写箔は前記厚盛り部の後面に定着しており、前記厚盛り部の外側周辺領域では、前記着色インキの後面側に定着していない。
前記厚盛り部の少なくとも周縁は、前記シート本体の厚さ方向の断面において、後方に向かって湾曲した凹曲部を備え、前記凹曲部の少なくとも一部の後面に前記金属的反射層が配置される。前記凹曲部の少なくとも一部の後面に配置された前記金属的反射層が金属的凹曲反射面を構成するものである。
これにより、前記シート本体を前方から見た際、前記金属的凹曲反射面からの反射光を視認できる。
【００１４】
前記着色層と、前記厚盛り部と、前記金属転写箔とは、この順で前記シート本体の後面側に配置されることができる。
前記金属転写箔は光反射性のあるメタリック層と前記メタリック層の前面側に配置された接着剤層とを備えたものとして実施できる。
前記厚盛り部は、前記着色層の少なくとも一部の後面を含む位置に前記着色層の後面側から後方に少なくとも３０μｍ突出して印刷された透明定着インキから構成され、前記金属転写箔の前記接着剤層と前記透明定着インキとが接着されていることにより、前記金属転写箔が前記厚盛り部を介して前記着色層の後面側に定着しているものとして実施できる。
【００１５】
また、前記着色層は、その後面側に前記厚盛り部が配置されていない第１着色領域と、その後面側に前記厚盛り部が配置されている第２着色領域とを備え、第１着色領域と第２着色領域とは、色相、明度、彩度のうち少なくとも一種が異なる違った色に着色されていてもよい。
さらにまた、前記着色層は、平面状の前記シート本体に沿って、平面状に配置された層であり、前記金属的凹曲反射面にあっては、平面方向に移行するに従って、前記着色層と前記金属的反射層との間の前記厚さ方向の距離が変化しているものとして実施することができる。
【００１６】
本発明の加飾シートにおいては、着色層と金属的反射層との間に厚盛り部が配置され、且つ、金属的反射層が金属的凹曲反射面を構成することによって、着色層と金属的反射層との厚み距離が、漸次変化していく。
着色層からの反射光は、前面からの入射光を着色層自体が反射する直接着色反射と、金属的反射層による反射光が、着色層を透過した金属着色反射との２種類が生ずる。
【００１７】
直接着色反射と金属着色反射とは、平面上の位置が変化することにより、着色層と金属的反射層との厚み距離が漸次変化していく。すなわち、加飾シートを前方から見た際、前方からの看者の目の位置が変化することにより、直接着色反射の反射位置と金属着色反射の反射位置とが、変化していくことによって、立体的な装飾効果を高めることができる。
【００１８】
また、加飾シートを前方から見た際、厚盛り部と第２着色領域と金属的反射層とは、これら三者の外縁が略一致するものとすることによって、他の領域（第１着色領域）とは色が異なる第２着色領域に対して金属的な反射を効果的に与えることができ、第２着色領域に対して他の領域（第１着色領域）とは際立って異なった印象を与えることができ、シャープな装飾効果を生むことができる。
【００１９】
なお、本発明は、特許文献４に係る加飾樹脂シートが有する立体的な装飾効果とは、凹凸の関係が逆転している結果、異なる装飾効果を有するものであり、また、特許文献４にあっては、加飾樹脂シートの製造にあたり、前面に加飾用凸部を形成するために真空成形又は圧空成形を行う必要があるが、本発明にあっては、加飾シートの形成にあたり成形工程は不要であり、手間がかからない。
【００２０】
また、本発明は、前記加飾シートは、その最後面に調整層が配置され、前記調整層により前記加飾シートの後面の凹凸が緩和されているものとして実施することができる。
また、本発明は、前記加飾シートと加飾対象物とを備え、前方から見た際、前記加飾シートが視認される位置に配置されたことを特徴とする、加飾シートを備えた加飾品を提供することができる。
【００２１】
また、本発明は、透光性を有するシート本体と、前記シート本体の後面側に配置された金属的反射層とを備えた加飾シートを製造する方法において、次の手段を備えたものを提供する。
本発明の製造方法は、透光性を有するシート本体の後面側に透光性を有する着色インキによる着色層を印刷によって形成する着色印刷ステップと、前記着色層の後面側に透光性を有する厚盛り部を、透明定着インキによる印刷によって形成する厚盛りステップと、前記厚盛り部の後面側に金属転写箔による金属的反射層を形成する装飾ステップとを含むものである。前記着色印刷ステップは、前記厚盛り部周辺の前記着色インキの後面自体が前記金属転写箔に対する定着性を備えていないインキで印刷を施すか、又は、前記着色インキの印刷の後に前記金属転写箔に対する定着性を備えていない非定着インキで印刷を施す工程である。前記厚盛りステップは、前記金属転写箔に対して定着性を有する前記透明定着インキで一回以上の印刷を施すことによって、前記着色層から後方側に少なくとも３０μｍ突出して前記透明定着インキを厚盛りする工程である。前記装飾ステップは、前記厚盛り部の後面に対して前記金属転写箔を定着させる工程である。前記厚盛り部の少なくとも周縁は、前記シート本体の厚さ方向の断面において、後方に向かって湾曲した凹曲部を備え、前記凹曲部の少なくとも一部の後面に前記金属的反射層が形成される。前記凹曲部の少なくとも一部の後面に形成された前記金属的反射層が金属的凹曲反射面を構成し、前記加飾シートを前方から見た際、前記金属的凹曲反射面からの反射光を視認できるように構成された加飾シートを製造することができる。
【００２２】
前記着色ステップは、前記厚盛りステップと前記装飾ステップとの間に行われるものとして実施することができる。
【００２３】
前記着色ステップは、色相、明度、彩度のうち少なくとも一種が異なる違った色に着色された第１着色領域と第２着色領域とを、前記金属転写箔に対して定着性のないインキで印刷を施す工程であり、
前記厚盛りステップは、前記第２着色領域の後面側にのみ透明定着インキによる印刷を施す一方、前記第１着色領域の後面側には透明定着インキによる印刷を施さない工程であり、
前記加飾シートを前方から見た際、前記厚盛り部と前記第２着色領域と前記金属的反射層とのそれぞれの外縁が互いに略一致している外縁一致部を少なくとも一部に備えた加飾シートを製造することができる。
【００２４】
また、本発明は、前記加飾シートの前面側又は後面側に加飾対象物を配置して一体化することを特徴とする、加飾シートを備えた加飾品の製造方法を提供する。
【発明の効果】
【００２５】
本発明は、立体的な装飾効果を高めた加飾シートと、加飾シートを備えた加飾品と、加飾シート及び加飾シートを備えた加飾品の製造方法を提供することができたものである。
特に、本発明は、加飾シートを前方から見た際、前方からの看者の目の位置が変化することにより、直接着色反射の反射位置と金属着色反射の反射位置とが、変化していくことによって、立体的な装飾効果を高めた加飾シートと、加飾シートを備えた加飾品と、加飾シート及び加飾シートを備えた加飾品の製造方法を提供することができたものである。
【００２６】
また、本発明に係る加飾シートは、印刷技術の手法のみによっても、平面的な表面を備えたシートに効果的な立体装飾を得ることができる。
【図面の簡単な説明】
【００２７】
【図１】本発明の第１実施形態に係る加飾シートの要部拡大断面図である。
【図２】（Ａ）本発明の第１実施形態に係る加飾シートの前方からの拡大写真、（Ｂ）特許文献３の成形工程後の加飾樹脂シートの前方からの拡大写真、（Ｃ）シート本体の後面に着色層を配置し、着色層の後面側全体に転写箔による金属的反射層を配置させたシートの前方からの拡大写真である。
【図３】（Ａ）本発明の第１実施形態に係る加飾シートの要部拡大断面図であり、（Ｂ）本発明の第２実施形態に係る加飾シートの要部拡大断面図である。
【図４】（Ａ）金属的反射層に金属転写箔を用いた場合の本発明の実施形態に係る加飾シートの要部拡大断面図であり、（Ｂ）金属的反射層に金属転写箔を用いた場合の本発明の他の実施形態に係る加飾シートの要部拡大断面図である。
【図５】（Ａ）本発明に係る加飾シートの前面側に加飾対象物として透明被覆体を接着した例を示す加飾シートを備えた加飾品の断面図であり、（Ｂ）本発明に係る加飾シートの後面側に加飾対象物を接着した例を示す加飾シートを備えた加飾品の断面図である。
【図６】本発明に係る加飾シートを備えた加飾品に関するものであり、（Ａ）は同加飾品をインモールド成形する際の準備工程の説明図、（Ｂ）は同加飾品をインモールド成形する工程の説明図、（Ｃ）は同加飾品の断面図である。
【図７】本発明に係る加飾シートを備えた加飾品の一例であり、（Ａ）は化粧料容器、（Ｂ）は石鹸ケースの断面図である。
【図８】本発明に係る加飾シートを備えた加飾品に関するものであり、（Ａ）は同加飾品をアウトモールド成形する際の準備工程の説明図、（Ｂ）は同加飾品をアウトモールド成形する工程の説明図、（Ｃ）は同加飾品の断面図である。
【発明を実施するための形態】
【００２８】
以下、図面に基づき本発明の実施の形態を説明する。なお図１などの各図は、説明のための図であるため各層の厚みなどの寸法を正確に示したものではない。
また、以下、「後面側に」とは「よりも後方に」との意味で用いられるものであり、例えば、「部材Ｘの後面側に部材Ｙを配置する」とは、部材Ｘの後面に部材Ｙを直接配置してもよいし、部材Ｘの後面と部材Ｙの前面との間に第３の部材Ｚを介在させてもよい。「前面側に」も同様に「よりも前方に」との意味で用いられる。なおこの実施の形態では、前後方向は、加飾シート５１の厚さ方向と同じ意味で用いられる。
【００２９】
（加飾シート５１について：第１実施形態）
図１（Ａ）〜（Ｆ）に本発明の第１実施形態に係る加飾シート５１の要部拡大断面図を示す。
この加飾シート５１は、透光性を有するシート本体１と、シート本体１の後面側に配置された透光性を有する着色インキによる着色層５２と、厚盛り部５６及び金属的反射層５７とを備える。ここで、本発明において、「透光性を有する」とは、光を透過する性質を有することをいい、透明や半透明の材質のものを用いることができる。
【００３０】
（シート本体１について）
透光性を有するシート本体１には、セルロースアセテートブチレート（ＣＡＢ）樹脂、ポリエチレンテレフタレート樹脂、ポリカーボネート樹脂、アクリル樹脂、オレフィン樹脂、ＡＢＳ樹脂、塩化ビニル樹脂等の合成樹脂製のフィルムやシートのほか、ガラス板等を用いることができ、単層であってもよく、２層以上の積層体であってもよい。シート本体１の厚さは、特に限定されないが、一般に５０〜転写シート0μｍ、望ましくは100〜200μｍ程度とされる。
【００３１】
シート本体１は、透光性を有するものであって、後述するように、印刷や転写箔の手法等により、着色層５２、厚盛り部５６並びに金属的反射層５７を形成できるものであれば、材質や厚みは問わない。基材として適切な強度や耐久性、印刷特性等を備えていることが望ましい。シート本体１は、加飾シート５１並びに加飾シート５１を備えた加飾品７２の物性、同加飾品７２を得るための加工方法に応じて最適なものを選択することができる。
【００３２】
（着色層５２について）
透光性を有する着色インキによる着色層５２は、シート本体１の後面側に配置される。また、着色層５２は、平面状のシート本体１に沿って、平面状に配置される。透光性を有する着色インキには、色を有しかつ透光性を有する印刷用のインキを用い、無色透明のインキを含んでもよい。着色層５２の厚みは、1〜20μｍ程度の範囲が好ましいものであるが、適宜変更して実施し得る。着色層５２は、加飾シート５１の前面側に色彩を与えると共に文字、図形、模様などの視覚的表現をなすもので、従来の印刷技術の適用により1回または複数回の印刷が施されることによってモノクロームまたは多色の印刷層による着色層５２が形成される。
【００３３】
着色層５２は、後述する厚盛り部５６が後面側に配置されていない第１着色領域５３と、厚盛り部５６が後面側に配置されている第２着色領域５４とを備えてもよく、第１着色領域５３と第２着色領域５４とは、色相、明度、彩度のうち少なくとも一種が異なる違った色に着色されていてもよい。第１着色領域５３と第２着色領域５４も含め着色層５２は一色に限らず複数色を用いてもよい。
【００３４】
着色層５２は、透光性を有する着色インキを用いて、後述する金属的反射層５７に対して入出力する光を前方の看者に届くようにするものであるが、一部には透光性のないインキを用いることもできるものであり、例えば、装飾効果を高める観点から金属的光沢のある部分とない部分とを混在させたい場合や、看者に見せたくない装置等を隠蔽するために、一部に透光性のないインキを用いることができる。
【００３５】
（厚盛り部５６について）
透光性を有する厚盛り部５６は、着色層５２の少なくとも一部の後面を含む位置に配置され、着色層５２の後面側から後方に突出している。透光性を有する厚盛り部５６は、例えば、エポキシ系樹脂、アクリル系樹脂、ウレタン系樹脂やこれらの混合物又は化合物などの合成樹脂製の厚盛インキによって形成され、透光性を有するものであれば、透明であってもよく、着色インキと同様に顔料などで着色されたものであってもかまわない。
【００３６】
厚盛り部５６は、その厚み（ｔ）や幅（ｌ）が加飾シート５１の装飾効果を左右する大きな要因となるため、厚み（ｔ）は７５μｍ以上であることが好ましく、８０μｍ以上がより好ましい。この厚み（ｔ）は、大きくすればするだけ立体的な装飾効果を高めることはできるが、大きくするに従ってその精度維持や量産が困難になったり、使用できる素材に制限が生じたりするため１５０μｍ以下が適当であり１００μｍ以下がより安定するが、１５０μｍを超える厚みで実施することを妨げるものではない。幅（ｌ）は、シャープな装飾効果を高めるには０．３ｍｍ〜３ｍｍが適当である。ただし、描かれる図形や文字によって決定されるものであるため、大きな面積に金属的反射や立体的な装飾効果を得る場合にはこれに限るものではない。なお、厚盛り部５６の幅は、図１（Ｆ）に示すように、着色層５２の後面側に配設される厚盛り部５６の基端側の幅を指す。
着色層５２と金属的反射層５７のみでは、その装飾効果は平面的に止まるものであるが、厚盛り部５６が配置されることにより、立体的な装飾効果に高めることができる。
【００３７】
（金属的反射層５７について）
金属的反射層５７は、金属箔やホログラム箔などの反射箔を含んでもよく、厚盛り部５６の少なくとも一部の後面に配置される。金属的反射層５７は、鏡面状の反射や金属的光沢を与える。
【００３８】
金属的反射層５７は、転写箔の手法により、金属箔やホログラム箔などの反射箔を転写して形成されるものであることが好ましい。また、金属的反射層５７は、シルク印刷（銀ペーストインキやミラーインキ）やホットスタンプ、蒸着、スパッタリングで実施してもかまわないが、転写箔を用いる方が高い金属的反射の効果が得られる点で有利である。より詳しくは、転写箔は、シルク印刷（銀ペーストインキやミラーインキ）より鏡面性がより高く、シルク印刷には作れないホログラム箔の使用も可能である点で、転写箔を用いる方が有利である。また、転写箔の手法を用いて金属的反射層５７を形成する際、転写用のバインダ層（図示せず）を形成してもよい。バインダ層は、反射箔を定着させるものであればよく、例えば透明なシルクインキで形成することができる。特に、経時変化でバインダ層の割れやクラックを起こさないインキを使用することが適当である。金属的反射層５７の厚みは、適宜変更して実施し得るが、0.03〜0.05μｍ程度の範囲が好ましい。
【００３９】
（金属的凹曲反射面５９について）
厚盛り部５６は、上述のとおり、着色層５２の少なくとも一部の後面を含む位置に配置され、着色層５２の後面側から後方に突出している。また、着色層５２の後面側から後方に突出している厚盛り部５６の、少なくともその周縁は、表面張力により、シート本体１の厚さ方向の断面において、後方に向かって湾曲した凹曲部５８を備える。この凹曲部５８の少なくとも一部の後面に金属的反射層５７が配置され、金属的反射層５７が金属的凹曲反射面５９を構成する。従って、金属的凹曲反射面５９は、シート本体１の厚さ方向の断面において、後方に向かって湾曲した面となる。金属的反射層５７は、上述のとおり、凹曲部５８の少なくとも一部の後面に配置すればよく（例えば、図１（Ｂ）（Ｅ））、厚盛り部５６の後面に配置してもよく（図１（Ａ）（Ｄ））、凹曲部５８の少なくとも一部の後面と厚盛り部５６に隣接する着色層５２の少なくとも一部の後面に配置してもよい（例えば、図１（Ｃ）（Ｆ））。
【００４０】
加飾シート５１を前方から見た際、金属的凹曲反射面５９からの反射光が視認できるが、金属的反射層５７は着色層５２の後面側から後方に突出した厚盛り部５６の少なくとも一部の後面に配置されることから、金属的凹曲反射面５９からの反射光が奥行き感を持って視認される。
【００４１】
また、金属的反射層５７が凹曲部５８の少なくとも一部の後面に配置されることによって、凹面鏡状の反射面が形成されるものであり、加飾シート５１を前方から見た際、金属的凹曲反射面５９の平面上の位置が変化するに従って、金属的凹曲反射面５９までの深さが変化することから、この変化に応じて金属的凹曲反射面５９から多様な方向に反射した光が視認され、看者の位置の変化により反射光が見える箇所が変化する。
【００４２】
さらに、厚盛り部５６及び金属的反射層５７が後面側に配置された加飾シート５１で着色された金属的反射効果を有する領域と、厚盛り部５６及び金属的反射層５７が後面側に配置されていない加飾シート５１で金属的反射効果を有しない平面的な領域とでは、金属的反射において異なっているものとすることができ、装飾表現に差異が生じる。
【００４３】
また、厚盛り部５６が後面側に配置されていない第１着色領域５３と、厚盛り部５６が後面側に配置された第２着色領域５４とを、色相、明度、彩度のうち少なくとも一種が異なる違った色に着色すると、厚盛り部５６及び金属的反射層５７が後面側に配置されていない加飾シート５１で金属的反射効果を有しない平面的な領域と、厚盛り部５６及び金属的反射層５７が後面側に配置された加飾シート５１で着色された金属的反射効果を有する領域との装飾表現の差異がさらに強調され、立体的な装飾効果をさらに高めることができる。
以上のことから、厚盛り部５６及び金属的反射層５７を上記のように構成することにより、加飾シート５１に新たな装飾効果を発現させることができる。
【００４４】
第２着色領域５４と厚盛り部５６と金属的反射層５７は、第２着色領域５４の後面側に厚盛り部５６が配置され、金属的反射層５７が凹曲部５８の少なくとも一部の後面に配置されていれば、加飾シート５１を前方から見た際、これら三者の外縁（平面視における外周線）は略一致していなくてもよく、平面視においてずれていてもよい。これら三者の外縁が平面視においてずれている例として、金属的反射層５７が凹曲部５８の一部の後面に配置される場合や、第２着色領域５４が厚盛り部５６の基端側の幅を超えて形成される場合が挙げられるが、そのずれ方には種々ある。
【００４５】
加飾シート５１を前方から見た際、これら三者の外縁が略一致していることが望ましく、これら三者の外縁が完全に一致することが最も望ましいものであるが、完全に一致しなくとも加飾シート５１を前方から見た際に、第２着色領域５４のみが金属的反射を伴う光を発していると認識されるものであれば、略一致していると言えるものであり、完全に一致している必要はない。この場合、より具体的には三者の外縁（外周線）の平面視におけるズレが３ｍｍ以内であることが好ましく、１ｍｍ以内であることがより好ましい。加飾シート５１を前方から見た際、これら三者の外縁が略一致していることにより、第２着色領域５４、厚盛り部５６及び金属的反射層５７の全体が金属的反射効果を備えることができる。
【００４６】
着色層５２、厚盛り部５６及び金属的反射層５７はシート本体１の後面側に配置する方が好ましいが、加飾シート５１が複数層の積層体の場合には、その層間に配置してもかまわない。なお、着色層５２、厚盛り部５６及び金属的反射層５７は、イラストや写真等の種々の絵柄や文字を加飾シート５１の前面に表示するためのものである。
【００４７】
（調整層２について）
また、加飾シート５１は、その最後面に調整層２を配置してもよい。調整層２の色は問わない。透明であってもよく、着色インキと同様に顔料などで着色されたものであってもかまわない。調整層２は、粘着剤や接着剤の層とその後面に配置されたポリエチレンテレフタレート樹脂やポリカーボネート樹脂等の樹脂フィルムとから構成される。後述するような、加飾シート５１を備えた加飾品７２を形成する場合、加飾シート５１の最後面に調整層２を配置することが望ましい。加飾シート５１の最後面に調整層２を配置することにより、加飾対象物７１の色流れを抑えることができる。調整層２の形成には、コーターでの塗布のほか、オフセット印刷やシルク印刷を用いることができる。調整層２を形成することにより加飾シート５１の後面の凹凸（加飾シート５１の厚盛り部５６の有無による凹凸）を緩和し加飾シート５１の前面の平滑性を維持する。また、経時変化により加飾シート５１の後面の凹凸がその前面に出ることを防ぐ。また、反射箔にあるピンホールを目立たなくすることもできる。この調整層２は、加飾シート５１の最後面に配置すればよいが、厚盛り部５６の存在しない部分にのみ配置することによって凹凸の緩和をより一層効果的なものとしても良い。
【００４８】
この調整層２や後述する粘着剤や接着剤は、加飾シート５１の後面の凹凸（加飾シート５１の厚盛り部５６の有無による凹凸）を緩和することもできるものであり、加飾シート５１又は粘着剤や接着剤の後面における凹凸の高さの差を、厚盛り部５６による凹凸の差よりも小さくすることができるものであり、調整層２と粘着剤や接着剤とを併用することも可能である。
【００４９】
（表面の平滑性について）
この実施の形態では、加飾シート５１の表面が平滑であるため、表面が別個の平滑なシートを配置するなどしなくてもよい。また後述するように、加飾対象物７１に加飾シート５１を貼り付けて加飾品７２を形成した場合、経時変化によって、後面の凹凸が表面側の平滑性に影響を与えることも考えられるが、前記のように加飾シート５１の後面の凹凸を緩和させることによって、平滑性の影響の発生を抑制することができる。
【００５０】
この実施の形態に係る加飾シート５１は、１３５℃の高温にも耐え得る耐熱性を有するものなど、素材の選択の自由度が高いものである。例えば、特許文献３に記載された加飾樹脂シートは、前面に加飾用凸部を形成するために真空成形を行う必要があり、その成形性を良好にするために当該シートの耐熱性に制限が生じたが、この実施の形態に係る加飾シート５１は、印刷シートに用いられている一般的なシートを採用することができ、品質安定性の高い加飾シート５１を提供することができる。
【００５１】
図２（Ａ）に本発明の第１実施形態に係る加飾シート５１の前方からの拡大写真を、図２（Ｂ）に特許文献３の成形工程後の加飾樹脂シートの前方からの拡大写真を、図２（Ｃ）にシート本体１の後面に着色層５２を配置し、着色層５２の後面側全体に転写箔による金属的反射層５７を配置させたシートの前方からの拡大写真を示す。
【００５２】
図２（Ａ）にあっては、前面の平滑性を維持しつつ、後面側から後方に突出した厚盛り部５６及び金属的反射層５７の金属的反射効果により立体的な装飾効果を高めたものである。特に、網目状の部分を第２着色領域５４とし、この第２着色領域５４の後面部分にのみ厚盛り部５６と金属的反射層５７とが配置されていることによって、他の部分（第１着色領域５３）との対比が明確となり、網目状の第２着色領域５４の立体感が高まっている。
【００５３】
図２（Ｂ）にあっては、第１と第２着色領域５４の図柄は図２（Ａ）と同じであるが、立体屈曲面を備えた加飾用凸部の前面に金属的反射層５７と第２着色領域５４が配置されていることによって、網目状の第２着色領域５４の立体感が高まっている。
両者は共に第２着色領域５４の立体感が高まっているが、図２（Ａ）では金属的反射層５７が凹曲面となっているのに対して、図２（Ｂ）では金属的反射層５７が凸曲面となっているため、光源（蛍光灯）との位置関係がほぼ同じであるにも関わらず、光源からの光を金属的に強く反射している部分（写真では部分的に白くなっている部分）が相違しており、異なる立体感を表現している。
【００５４】
また、図２（Ｃ）にあっては、第１と第２着色領域５４の図柄は図２（Ａ）と同じであるが、着色層５２の後面側の全体に金属的反射層５７が配置されたもので、厚盛り部５６は存在しないため、平面的な美観を得ることができるに止まる。また、全面に金属的反射層５７が配置されたものであるため、光源（蛍光灯）との位置関係が図２（Ａ）（Ｂ）とほぼ同じであるにも関わらず、図２（Ａ）（Ｂ）のように光源からの光を金属的に強く反射している部分は存在せず、帯状に光源（蛍光灯）が映り込んでいるに止まる。
【００５５】
（加飾シート５１について：第２実施形態）
次に、加飾シート５１を平面視した場合の装飾部６０の外縁に目を向けて、加飾シート５１を説明する。図３（Ａ）に上述した本発明の第１実施形態に係る加飾シート５１の要部拡大断面図を示し、図３（Ｂ）に本発明の第２実施形態に係る加飾シート５１の要部拡大断面図を示す。
上述と同じ部材には同じ符号を付することにより、詳細な説明は省略する。
【００５６】
図３（Ａ）に示す本発明の第１実施形態に係る加飾シート５１は、シート本体１の後面側に、着色層５２、厚盛り部５６、金属的反射層５７の三者をその順番に配置したが、図３（Ｂ）に示す本発明の第２実施形態に係る加飾シート５１は、シート本体１の後面側に、厚盛り部５６、着色層５２、金属的反射層５７の三者をその順番に配置した点が相違する。言い換えれば、本発明の第２実施形態に係る加飾シート５１は、厚盛り部５６の後面側に着色層５２を配置し、着色層５２の後面側に金属的反射層５７を配置したものである。この第２実施形態にあっても、金属的反射層５７が金属的凹曲反射面５９を形成し、その反射光は着色層５２を透過し、さらに厚盛り部５６及びシート本体１を透過して前方の看者の目に届くことによって、立体的な装飾効果を発揮する。ただしこの第２の実施の形態にあっては、着色層５２と金属的反射層５７との間の厚さ方向の距離の変化がない点で、第１の実施の形態と相違する。
【００５７】
（着色層５２における領域と厚盛り部５６と金属的反射層５７との関係）
いずれの実施の形態にあっても、金属的凹曲反射面５９からの立体的な装飾効果を、前方の看者に印象的に知覚させるためには、着色層５２において他の領域（第１着色領域５３）とは異なる色の第２着色領域５４を設け、第２着色領域５４と厚盛り部５６と金属的反射層５７との三者のそれぞれの外縁（平面視における外周線）を、互いに略一致させた外縁一致部を備えたものとすることが好ましい。これによって色彩的に他の領域（第１着色領域５３）と区別される領域（第２着色領域５４）のみが立体的な印象を与えることになり、第２着色領域５４によって表された表現を、前方の看者にシャープに強く印象付けることができる。
【００５８】
より具体的には、図２（Ａ）の例では網目状の部分が第２着色領域５４であり、当該部分にのみ厚盛り部５６と金属的反射層５７とが配置されていることによって、他の部分（第１着色領域５３）との対比が明確となり、全体として立体的な装飾効果を高めることができたものである。
【００５９】
上記のように、着色層５２は、前方から見て、厚盛り部５６が存在しない位置にある第１着色領域５３と、厚盛り部５６が存在する位置にある第２着色領域５４とを備え、第１着色領域５３と第２着色領域５４とは、色相、明度、彩度のうち少なくとも一種が異なる違った色に着色されることが望ましい。
【００６０】
言い換えれば、厚盛り部５６と第２着色領域５４と金属的反射層５７とは、加飾シート５１を前方から見た際、それぞれの外縁（平面視における外周線）が互いに略一致しているものとする。最も望ましくは、上述したように、三者の外縁が完全に一致することではあるが、完全に一致しなくとも加飾シート５１を前方から見た際に、第２着色領域５４のみが金属的反射を伴う光を発していると認識されるものであれば、略一致していると言えるものであり、完全に一致している必要はない。より具体的には三者の外縁（外周線）の平面視におけるズレが３ｍｍ以内であることが好ましく、１ｍｍ以内であることがより好ましい。
【００６１】
以上のように、厚盛り部５６と第２着色領域５４と金属的反射層５７との３つの層から構成された装飾部６０が後面側に配置された加飾シート５１で着色された金属的反射効果を有する領域と、第１着色領域５３の１つの層から構成された装飾部６０が後面側に配置された加飾シート５１で金属的反射効果を有しない平面的な領域とでは、色彩（色相、明度、彩度）及び金属的反射において異なっているものとすることができ、異なる装飾表現を奏することから、これらが組み合わされた本発明に係る加飾シート５１は、際立った装飾効果を発揮することができる。装飾部６０を上記のように構成することにより、加飾シート５１に新たな装飾効果を発現させることができる。
【００６２】
また、装飾部６０の構成が、厚み方向において、前方から、第２着色領域５４−厚盛り部５６−金属的反射層５７と配置され、第２着色領域５４と金属的反射層５７との間に厚盛り部５６が介在している構成、即ち第１実施形態の構成と、厚盛り部５６−第２着色領域５４−金属的反射層５７と配置され、第２着色領域５４の後面に金属的反射層５７が配置される構成、即ち第２実施形態の構成とでは、前方の看者が視認する、着色層５２を透過した金属的反射層５７からの反射光が異なるものと考えられることから、多彩な装飾効果を発現することが期待される。
【００６３】
もちろん、装飾効果を高める点からは、前記の三者が一致しない領域を意図的に設けて、全体としての効果的な装飾を行うことを妨げるものではない。具体的には、第１着色領域５３、厚盛り部５６、金属的反射層５７が一致している領域、第２着色領域５４と金属的反射層５７からなる領域、金属的反射層５７のみからなる領域、厚盛り部５６と金属的反射層５７からなる領域等々、種々の層と領域を組み合わせて実施することができる。
【００６４】
（加飾シート５１の製造）  
次に上述の加飾シート５１の製造する工程について説明する。
（加飾シート５１を製造する工程の概要：第１実施形態）
本願の第１実施形態に係る加飾シート５１を製造する工程は、透光性を有するシート本体１の後面側に透光性を有する着色インキによる着色層５２を形成する着色ステップと、着色層５２の後面側に透光性を有する厚盛り部５６を形成する厚盛りステップと、厚盛り部５６の後面側に金属的反射層５７を形成する装飾ステップとを行うものである。
【００６５】
（着色ステップについて）
着色ステップは、透光性を有する着色インキを、種々の方法で、透光性を有するシート本体１の後面側に印刷することによって着色層５２を形成する工程である。印刷にはオフセット印刷やシルク印刷やインクジェット印刷を用いることができるが、グラビア印刷等の他の印刷方法を用いることもできる。
【００６６】
この着色層５２の厚みは、オフセット印刷の場合には1μｍ前後、シルク印刷の場合には10μｍ前後が適当であり、１〜２０μｍ程度の範囲が好ましく4〜20μｍ程度の範囲がより好ましいものであるが、適宜変更して実施し得る。
また、着色層５２として、厚盛り部５６が後面側に配置されていない第１着色領域５３と、厚盛り部５６が後面側に配置されている第２着色領域５４を形成してもよく、第１着色領域５３と第２着色領域５４とは、色相、明度、彩度のうち少なくとも一種が異なる違った色に着色されてもよい。
【００６７】
（厚盛りステップについて）
厚盛りステップは、着色層５２の少なくとも一部の後面を含む位置に厚盛り部５６を形成する工程である。
厚盛り部５６は、着色層５２と同様に透光性を有する厚盛インキを印刷することによって形成することができるが、他の手法によって形成してもよい。上述のとおり、厚盛り部５６は、その厚み（ｔ）や幅（ｌ）が加飾シート５１の装飾効果を左右する大きな要因となるため、厚み（ｔ）好ましくは７５〜１５０μｍ、より好ましくは８０〜１００μｍ、幅（ｌ）0.3ｍｍ〜3ｍｍが適当であるが、これに限るものではない。この厚みを得るために、層厚みの大きなシルクスクリ−ン印刷を行うことが有利である。その際、１回から、５回程度の複数回の印刷を施してもよい。部分的に印刷回数を変えるなどして厚みの異なる複数種類の厚盛り部５６を形成してもよい。他方厚盛り部５６の厚みを同じにすることによって、印刷を施す際の印刷の版を共通して用いることができ生産効率を高めることができる。
【００６８】
（装飾ステップについて）
装飾ステップは、厚盛り部５６の少なくとも一部の後面に金属的反射層５７を形成する工程である。厚盛りステップにて形成された厚盛り部５６は、着色層５２の後面側から後方に突出しており、厚盛り部５６の少なくともその周縁は、表面張力により、シート本体１の厚さ方向の断面において、後方に向かって湾曲した凹曲部５８を備える。そして、装飾ステップにて、この凹曲部５８の少なくとも一部の後面に金属的反射層５７を形成し、形成された金属的反射層５７が金属的凹曲反射面５９を構成するものである。
【００６９】
金属的反射層５７は、転写箔の手法により、金属箔やホログラム箔などの反射箔を転写して形成されるものであることが好ましい。また、金属的反射層５７は、シルク印刷（銀ペーストインキやミラーインキ）やホットスタンプ、蒸着、スパッタリングで実施してもかまわないが、転写箔を用いる方が高い金属的反射の効果が得られる点で有利である。より詳しくは、転写箔は、シルク印刷（銀ペーストインキやミラーインキ）より鏡面性がより高く、シルク印刷には作れないホログラム箔の使用も可能である点で、転写箔を用いる方が有利である。
【００７０】
また、転写箔の手法を用いて金属的反射層５７を形成する際、転写用のバインダ層（図示せず）を形成してもよい。バインダ層は、反射箔を定着させるものであればよく、例えば透明なシルクインキで形成することができる。特に、経時変化でバインダ層の割れやクラックを起こさないインキを使用することが適当である。
金属的反射層５７の厚みは、適宜変更して実施し得るが、0.03〜0.05μｍ程度の範囲が好ましい。
【００７１】
（加飾シート５１を製造する工程の概要：第２実施形態）
本願の第２の実施形態に係る加飾シート５１を製造する工程は、透光性を有するシート本体１の後面側に装飾部６０を形成する工程であって、透光性を有する着色インキによる着色層５２を形成する着色ステップと、透光性を有する厚盛インキによる厚盛り部５６を形成する厚盛りステップと、厚盛り部５６の後面側に金属的反射層５７を形成する装飾ステップとを行うものである。
【００７２】
そして、加飾シート５１を製造する工程は、着色ステップ、厚盛りステップ、装飾ステップの順に実施する場合（以下、第１実施手順という）と、厚盛りステップ、着色ステップ、装飾ステップの順に実施する場合（以下、第２実施手順という）があり、第１実施手順で実施して得られた加飾シート５１の一例を図３（Ａ）に示すものであり、第２実施手順で実施して得られた加飾シート５１の一例を図３（Ｂ）に示すものである。
【００７３】
（着色ステップについて）
着色ステップは、透光性を有する着色インキを、種々の方法で、シート本体１の後面側に印刷することによって着色層５２を形成する工程である。着色ステップにおいて、着色層５２は、前方から見て、厚盛り部５６が存在しない位置にある第１着色領域５３と、厚盛り部５６が存在する位置にある第２着色領域５４とが形成され、第１着色領域５３と第２着色領域５４とは、色相、明度、彩度のうち少なくとも一種が異なる違った色に着色される。
【００７４】
加飾シート５１を製造する工程が第１実施手順で実施された場合、第１着色領域５３、第２着色領域５４ともにシート本体１の後面側に形成され、第２実施手順で実施された場合、第１着色領域５３はシート本体１の後面側に形成され、第２着色領域５４はシート本体１の後面側に形成された厚盛り部５６の後面側に形成される。
着色層５２を形成するための印刷方法や着色層５２の厚みは、本願の第１実施形態と同じであり、説明を省略する。
【００７５】
（厚盛りステップについて）
厚盛りステップは、シート本体１の後面側に厚盛り部５６を形成する工程である。
【００７６】
加飾シート５１を製造する工程が第２実施手順で実施された場合、厚盛り部５６はシート本体１の後面側に形成され、第１実施手順で実施された場合、厚盛り部５６はシート本体１の後面側に形成された第２着色領域５４の後面側に形成される。
厚盛り部５６を形成するための方法や、厚盛り部５６の厚みや幅は、本願の第１実施形態と同じであり、説明を省略する。
【００７７】
（装飾ステップについて）
装飾ステップは、厚盛り部５６の後面側に金属的反射層５７を形成する工程である。金属的反射層５７は前面側からの光を反射するものであり、また、装飾部６０は、着色層５２を透過した金属的反射層５７からの反射光を前方の看者が視認するように構成されることから、金属的反射層５７は、加飾シート５１の最も後面側に形成される。
【００７８】
加飾シート５１を製造する工程が第１実施手順で実施された場合、金属的反射層５７は厚盛り部５６の後面側に形成され、第２実施手順で実施された場合、金属的反射層５７は厚盛り部５６の後面側に形成された第２着色領域５４の後面側に形成される。
金属的反射層５７を形成するための方法や、金属的反射層５７の厚みは、本願の第１実施形態と同じであり、説明を省略する。
【００７９】
転写箔の手法を用いて金属的反射層５７を形成する際、厚盛り部５６の後面側に形成された第２着色領域５４と金属的反射層５７との定着性を確保するために、両者の間に転写用のバインダ層（図示せず）を形成してもよい。バインダ層は、反射箔を定着させるものであればよく、例えば透明のシルクインキで形成することができる。特に、経時変化でバインダ層の割れやクラックを起こさないインキを使用することが適当である。
【００８０】
（金属的反射層に金属転写箔を用いた場合の詳細）
図４を参照して、金属的反射層５７に金属箔やホログラム箔などの金属転写箔を用いる場合について、より詳細に説明する。金属転写箔は、工業的には転写シート（図示せず）として供給されるもので、その基本構成は、キャリアフィルムの上に、離型層、必要に応じて積層される表面保護層、着色層やホログラム層、金属層、接着剤層の各層が順に積層された積層体である。
【００８１】
金属層は、通常の金属箔の場合にはアルミニウムが用いられたり、ホログラムの場合には透明の酸化チタンなどが用いられたりして種々の構成の光反射性のある層として実施される。着色層についても求められる色彩に応じて省略される場合もあるなど種々変更して実施されるが、基本的の構成としては、定着時に取り去られる剥離層（キャリアフィルムや離型層などいずれも図示せず）と、メタリック層４２（表面保護層、着色層やホログラム層を必要に応じて選択的に積層した層）と、ホットメルト接着剤などの接着剤層４１とを備えたものである。転写シートは、接着剤層４１を目的物の表面に接触させた状態で、加熱や加圧などのエネルギーを加えて転写するもので、目的物の表面には接着剤層４１とメタリック層４２が残されることによって、目的物の表面に接着剤層４１とメタリック層４２が積層された装飾を施すものである。
【００８２】
本発明への適用に際しては、厚盛り部５６の後面に金属的反射層５７として透明な接着剤層４１とメタリック層４２が配置積層されるもので、他の部分に接着剤層４１とメタリック層４２が積層されない。
具体的な一例としては、図４（Ａ）に示すように、厚盛り部５６を透明定着インキのみで構成して、この透明定着インキと接着剤層４１とを接着することによって、メタリック層４２を接着剤層４１を介して厚盛り部５６の後面に定着させることができる。その際、厚盛り部５６の外側周辺領域における第１着色領域５３は接着剤層４１によっては接着されない非定着インキを用いておくことによって、第２着色領域５４および厚盛り部５６の後面に接着剤層４１およびメタリック層４２が定着しない状態となる。一般の転写シートを用いた加工にあっては、透明定着インキは、接着剤層４１との定着を目的として施されるものであり、その厚みは極力小さなもの（具体的には数μｍ）であることが望ましいとされているが、この実施の形態にあっては、透明定着インキは数１０μｍ、より好ましくは３０μｍ以上の厚みにまで１回または複数回の厚盛り印刷によって厚盛り部５６を形成するものである。
【００８３】
厚盛り部５６の透明定着インキと接着剤層４１との接着性を高めて良好な定着を実現するには、透明定着インキと接着剤層４１とに用いられる樹脂成分が同種の樹脂成分を含むものであることが好ましいが、含有される副成分や助剤によって調整することもできる。他方、第１着色領域５３には、透明定着インキと接着剤層４１と異なる樹脂成分を用いるなどした非定着インキを採用して、接着剤層４１に対して接着されないようにしておく必要がある。
なお第２着色領域５４については、透明定着インキと接着剤層４１との接着性を問わないが、厚盛り部５６との定着性が良好なインキを用いることが好ましい。
【００８４】
また図４（Ｂ）に示すように、第１着色領域５３および第２着色領域５４の後面に接着剤層４１との定着性のない透明な非定着インキ４３を印刷した上で、厚盛り部５６を透明定着インキで印刷していて形成することもできるし、図示は省略するが厚盛り部５６を複数回印刷して形成する場合には、少なくともその最後面のみを透明定着インキで印刷して形成することも妨げない。ただし、図４（Ａ）に示すように、形成する層の数は極力少なくする方が、製造コストの点はもちろん、良好な反射効果を得る点からも好ましい。なおこの図４で示した例は、図１〜図３で示した各実施の形態と併用して実施することができるものであり、例えば図１（Ｂ）などのように第１着色領域５３のみで着色層５２を構成することも可能である。
【００８５】
（加飾シート５１の応用）
加飾シート５１は、それ単独又は他の物品と併用して、種々の利用が可能である。例えば、シート製のパッケージングケースの定法に従って箱体に形成することができる。また、加飾シート５１を他の物品に貼り付けて加飾品７２を形成してもよく、例えば、化粧料容器や石鹸ケースなどの容器の本体や蓋のほか、弾球遊技機の走行面を構成するための表面シートやスロットマシーン遊技機の回転するリール、遊技機（弾球遊技機やスロットマシーン遊技機）のケーシングやエンブレムシートとして用いることができる。以下、加飾シート５１の応用品を取り上げて説明する。
【００８６】
（加飾シート５１からパッケージングケースの製造）
加飾シート５１をトムソンなどの金型で打ち抜いたり木型に沿って切り抜くと共に折り目線の加工を施し、必要に応じて貼り付けなどの加工を施して、パッケージングケース（図示せず）を完成させることができる。折り目線を用いずに湾曲させてもよい。加飾シート５１をパッケージングケースに加工する工程についてはシート製のパッケージングケースの製造における種々の方法を採用することができる。
【００８７】
なお、加飾シート５１からパッケージングケースを製造する場合、パッケージングケース全体に加飾シート５１を用いてもよいし、パッケージングケースの一部に加飾シート５１を用いてもよい。例えば、パッケージングケースの側面や蓋、底の全部や一部に加飾シート５１を用いると、パッケージングケースを加飾シート５１の前方から見た際、金属的凹曲反射面５９からの反射光を視認することができ、立体的な装飾効果を奏する。
【００８８】
（加飾シート５１の貼り付けによる加飾品７２の形成）
加飾シート５１は、他の物品に貼り付けて用いることも可能である。言い換えれば、この加飾シート５１は、樹脂成形体などの加飾対象物７１を装飾するための表面装飾用シートとして実施することができるものである。
【００８９】
貼り付けの方法は、特に問うものではなく接着剤や粘着剤を用いることもでき、成型技術を適用することも可能である。加飾対象物７１の材質としては、金属、板材、紙材、合成樹脂やこれらの複合材料製など、種々の材質を選択して用いることができる。
合成樹脂による樹脂成形体を用いた加飾対象物７１については、貼合成型技術を適用することが可能である。貼合成型技術の方法としては、インモールド成形とアウトモールド成形のいずれも適用することができる。以下、接着剤や粘着剤を用いた貼り付けの例、インモールド成形を用いた貼り付けの例、アウトモールド成形を用いた貼り付けの例を示す。
【００９０】
（接着剤や粘着剤を用いた貼り付けの例）
図５（Ａ）に示すように、加飾シート５１の前面側に、加飾対象物７１の一例である、アクリル板等のアクリルシートなどの透明被覆体を配置したものとして実施される。加飾対象物７１（この例では透明被覆体）と加飾シート５１との間は、粘着剤や接着剤などのシート間接合剤３によって接合される。粘着剤や接着剤は透明性の高いものが適当であり、且つ、シート間に気泡が混入し難いものを用いることが望ましい。例えば、接着剤としては、ＵＶ接着剤に代表される紫外線などの活性エネルギー線硬化型接着剤を用いることが有利である。
【００９１】
透明被覆体の厚みは加飾シート５１の厚みより大きなものであってもよく、小さなものであってもかまわない。
前面側に加飾対象物７１を貼り付けた加飾シート５１を前方から見た際、加飾シート５１が視認される位置に配置されており、加飾対象物７１（この例では透明被覆体）及びシート間接合剤を通して、金属的凹曲反射面５９からの反射光を視認することができ、立体的な装飾効果を奏する。
【００９２】
また、図５（Ｂ）に示すように、加飾シート５１の後面側に上述した種々の材質の加飾対象物７１を配置したものとしても実施される。加飾シート５１と加飾対象物７１との関係で良好な接着を実現する、種々の粘着剤や接着剤などのシート間接合剤３を選択して用いることができる。加飾シート５１の後面側にシート間接合剤３の層を形成することにより、加飾シート５１の後面の凹凸を緩和し、加飾シート５１の前面の平滑性を維持する。また、経時変化により加飾シート５１の後面の凹凸がその前面に出ることを防ぐ。
【００９３】
紙やポリエチレンテレフタレート樹脂やポリカーボネート樹脂等の樹脂フィルム等を介在させて、加飾シート５１と加飾対象品とを貼り付ける場合、加飾シート５１の後面側と加飾対象物７１の前面側とでは、種類の異なる粘着剤や接着剤を用いてもよい。また、粘着剤や接着剤の代わりに加飾シート５１の後面の凹凸を緩和するための樹脂成分等を含むインクを加飾シート５１の後面に印刷してもよい。
後面側に加飾対象物７１を貼り付けた加飾シート５１を前方から見た際、加飾シート５１が視認される位置に配置されており、金属的凹曲反射面５９からの反射光を視認することができ、立体的な装飾効果を奏する。
【００９４】
（インモールド成形を用いた貼り付けの例）
図６は、インモールド成形の説明図であり、図６（Ａ）に示すように、樹脂成型用の金型８１、８１を開き、金型の内部に加飾シート５１を配置する。
【００９５】
次に、図６（Ｂ）に示すように、金型８１、８１を閉じて、溶融した合成樹脂を射出口８２から、金型８１、８１内にて射出成型するとともに、その表面に加飾シート５１を貼り付けるものである。射出口８２から射出される合成樹脂は、透光性を有する合成樹脂が望ましく、例えば、ポリエチレンテレフタレート樹脂、ポリカーボネート樹脂、アクリル樹脂、オレフィン樹脂、ＡＢＳ樹脂、ポリスチレン樹脂等が挙げられる。なお、図６（Ａ）に示すように、必要に応じて加飾シート５１の後面に調整層２や接着剤などのシート間接合剤３を塗布したバッカーシート４を配置しておいてもよい。バッカーシート４を配置することにより、成型中の加飾シート５１の形状を維持し、加飾シート５１と射出口８２から射出される合成樹脂との接着性を高めることができる。両者の接着性が確保される場合には、バッカーシート４を用いなくてもよい。図６（Ｂ）（Ｃ）においては、加飾シート５１の後面の凹凸（加飾シート５１の厚盛り部５６の有無による凹凸）の記載と、調整層２、並びにシート間接合剤３を塗布したバッカーシート４の記載を省略した。  これにより、図６（Ｃ）に示すような、加飾対象物７１（この例では合成樹脂による樹脂成形体）とその前面に配置された加飾シート５１とが一体となったインサート成形品を得ることができる。インサート成形品の他の一例を図７（Ａ）（Ｂ）に示す。何れも容器の蓋が加飾対象物７１である。図７（Ａ）に示す化粧料容器の蓋にあっては、加飾シート５１が加飾対象物７１である化粧料容器の蓋の前面に配置されている。加飾シート５１自体は前面が上を向いた状態で配置されている。加飾シート５１の前面が化粧料容器の蓋の前面（図７（Ａ）の上面）に露出した状態で配置される。その結果、化粧料容器の蓋を上方から見た際、加飾シート５１の前面を直接見ることとなる。よって、加飾対象物７１である化粧料容器の蓋を上方から見た際、金属的凹曲反射面５９からの反射光を視認することができる。図７（Ｂ）に示す石鹸ケースの蓋にあっては、加飾シート５１が加飾対象物７１である石鹸ケースの蓋の後面に配置されている。加飾シート５１自体は前面が上を向いた状態で配置されている。加飾シート５１の前面が石鹸ケースの蓋の後面（図７（Ｂ）の下面）に配置される。その結果、石鹸ケースの蓋を上方から見た際、石鹸ケースの蓋を通して加飾シート５１の前面を見ることとなる。よって、加飾対象物７１である石鹸ケースの蓋を上方から見た際、加飾対象物７１を通して金属的凹曲反射面５９からの反射光を視認することができる。なお、図７（Ａ）（Ｂ）においては、加飾シート５１の後面の凹凸（加飾シート５１の厚盛り部５６の有無による凹凸）の記載を省略した。また、図７（Ａ）の場合においては、加飾シート５１の後面に調整層や接着剤を塗布したバッカーシートを配置してもよく、図７（Ｂ）の場合においては、加飾シート５１の前面に接着剤を塗布したバッカーシートを配置してもよく、加飾シート５１の後面に調整層を配置してもよい。加飾シート５１の前面に配置するシート間接合剤３を塗布したバッカーシートは、透光性を有するものが適当である。
なお、金型８１内にインサートする加飾シート５１は、射出される溶融樹脂の熱と圧力で賦形してもよいし、金型外で予備加熱しておいて金型８１にインサートし、真空引きによって予備賦形した後に樹脂を射出するものであってもよく、賦形されない場合もある。
【００９６】
（アウトモールド成形を用いた貼り付けの例）
次に、図８は、アウトモールド成形の例を示すものである。アウトモールド成形は、加飾シート５１の上下の差圧を利用して加飾対象物７１に貼り付けて賦形するもので、種々の形態のものが提案され実用化されており、これらを適宜選択して用いることができる。
【００９７】
図８を参照してその一例を説明すると、図８（Ａ）に示すように、チャンバー９１内のテーブル９２に加飾対象物７１を配置し、加飾シート５１の上下の空間であるチャンバー９１内を、チャンバー９１に接続された真空ポンプ（図示せず）などによって、減圧する。必要に応じて加飾シート５１をヒーター９３によって減圧下で加熱する。なお、図８（Ａ）に示すように、必要に応じて加飾シート５１の後面に調整層２やシート間接合剤３を塗布したバッカーシート４を配置しておいてもよい。図８（Ｂ）（Ｃ）においても、加飾シート５１の後面の凹凸（加飾シート５１の厚盛り部５６の有無による凹凸）の記載と、調整層２、並びにシート間接合剤３を塗布したバッカーシート４の記載を省略した。
【００９８】
次に、図８（Ｂ）に示すように、テーブル９２を必要に応じて上昇させると共にチャンバー９１内の加飾シート５１の上の空間に対して大気圧を導入あるいは加圧（圧空）することによって、加飾シート５１を加飾対象物７１に押しつけて貼り合わせする。これにより、図８（Ｃ）に示すように、加飾シート５１を加飾対象物７１の表面に貼り付けることができる。加飾シート５１を備えた加飾品７２である成形品を前方から見た際、加飾シート５１が視認される位置に配置されており、金属的凹曲反射面５９からの反射光を視認することができ、立体的な装飾効果を奏する。なお、加飾対象物７１がアンダーカットされている場合にも、圧力差によって加飾シート５１がアンダーカット部分にも巻き付けられるため、貼り合わせが可能である。なお、ヒーター９３による加熱に代えて又は併用して熱板を利用してもかまわないし、また、圧空の際に水蒸気を導入してもかまわないし、種々の方法を採用して実施することができる。
【００９９】
本発明に係る加飾シートは、包装容器、アミューズメント機器、広告媒体、自動車部品、文具、日用品を初めとして極めて多くの種類の物品の加飾に適用することができる。
【符号の説明】
【０１００】
１  シート本体
２  調整層
３  シート間接合剤
４  バッカーシート
４１  接着剤層
４２  メタリック層
５１  加飾シート
５２  着色層
５３  第１着色領域
５４  第２着色領域
５６  厚盛り部
５７  金属的反射層
５８  凹曲部
５９  金属的凹曲反射面
６０  装飾部
７１  加飾対象物
７２  加飾品
８１  金型
８２  射出口
９１  チャンバー
９２  テーブル
９３  ヒーター
【図１】
2019043138.tif 000003
【図２】
2019043138.tif 000004
【図３】
2019043138.tif 000005
【図４】
2019043138.tif 000006
【図５】
2019043138.tif 000007
【図６】
2019043138.tif 000008
【図７】
2019043138.tif 000009
【図８】
2019043138.tif 000010
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
透光性を有するシート本体と、前記シート本体の後面側に配置された金属的反射層とを備えた加飾シートにおいて、
前記シート本体の後面側に、配置された着色層と厚盛り部とを備え、
前記着色層は、前面側から見た際に、前記加飾シートに色彩を与えると共に文字、図形、模様などの視覚的表現をなすものであり、
前記厚盛り部は、前面側から見た際に、前記加飾シートに立体的な装飾効果を与えるものであり、
前記金属的反射層は、前記加飾シートの一部に選択的に配置され、
前記厚盛り部の少なくとも周縁は、前記シート本体の厚さ方向の断面において、後方に向かって湾曲した凹曲部を備え、
前記凹曲部の少なくとも一部の後面に配置された前記金属的反射層が金属的凹曲反射面を構成し、
前記加飾シートを前方から見た際、前記金属的凹曲反射面からの反射光を視認できるように構成されたことを特徴とする加飾シート。
【請求項２】
前記金属的反射層は、光反射性のあるメタリック層と前記メタリック層の前面側に配置された接着剤層とを備えた金属転写箔から構成され、
前記着色層から後面側へ少なくとも３０μｍ突出して印刷された透明定着インキを備え、前記金属転写箔の前記接着剤層と前記透明定着インキとが接着されていることにより、前記金属転写箔が前記厚盛り部を介して前記着色層の後面側に定着していることを特徴とする請求項１に記載の加飾シート。
【請求項３】
１又は２に記載の加飾シートと加飾対象物とを備え、
前方から見た際、前記加飾シートが視認される位置に配置されたことを特徴とする加飾シートを備えた加飾品。